(57)【要約】      （修正有）【課題】供給通路と仮止室を一体的に形成して、信頼性の高い部品供給装置を提供する。【解決手段】部品１の供給通路１３とこの供給通路１３に連通するとともに部品１の出口開放部２２を有する仮止室１８とが一体的に形成され、仮止室１８を供給通路１３とともに目的箇所へ移動させる進退駆動手段６が設けられている。したがって、仮止室１８への部品進入を確実に果たすことができ、供給通路１３内での部品移動を円滑にすることができる。そして、構造の簡素化ができる。【選択図】図１
2007105865.tif 000002
【特許請求の範囲】
【請求項１】
部品の供給通路とこの供給通路に連通するとともに部品の出口開放部を有する仮止室とが一体的に形成され、仮止室を供給通路とともに目的箇所へ移動させる進退駆動手段が設けられていることを特徴とする部品供給装置。
【請求項２】
前記進退駆動手段の進退方向は、部品が仮止室に進入する方向に対してほぼ直交している請求項１記載の部品供給装置。
【請求項３】
前記仮止室には部品の進入方向の終端位置に仮止室の内壁の一部を形成するストッパ部材が設けられ、前記出口開放部は前記進退駆動手段の進出方向側に配置されている請求項１または請求項２記載の部品供給装置。
【請求項４】
前記仮止室の底部材に進退駆動手段の進出方向側に開放している通過スリットが設けられている請求項１〜請求項３のいずれかに記載の部品供給装置。
【請求項５】
前記供給通路は、仮止室が低くなるように傾斜している請求項１〜請求項４のいずれかに記載の部品供給装置。
【請求項６】
前記供給通路は、進退駆動手段の後退方向側に湾曲している請求項１〜請求項４のいずれかに記載の部品供給装置。
【請求項７】
前記進退駆動手段にブロック部材が結合され、このブロック部材に供給通路を形成する部品供給管が取り付けられ、この部品供給管に連通させて仮止室が配置されている請求項１〜請求項６のいずれかに記載の部品供給装置。
【発明の詳細な説明】
【技術分野】
【０００１】  この発明は、供給通路で移送されてきた部品を仮止室に収容し、そのまま目的箇所へ到達させる部品供給装置に関している。
【背景技術】
【０００２】  供給通路で移送されてきた部品を仮止室に一時係止し、これを供給ロッドへ移行させてから供給ロッドを進出させる形式のものが知られている。それは、特許第２８３２５２８号公報の図５に開示されている。【０００３】  また、供給ロッドの内部にナットの供給通路が設けられているとともに、この供給通路の先端部にナットを送り出す部分が設けられ、供給ロッドがその長手方向に進退して目的箇所へ部品を到達させるものが知られている。それは、特開昭５１−１３３１５２号公報に開示されている。
【特許文献１】特許第２８３２５２８号公報
【特許文献２】特開昭５１−１３３１５２号公報
【発明の開示】
【発明が解決しようとする課題】
【０００４】  上述の特許文献１に示す技術は、部品を静止状態の仮止室から進退動作をする供給ロッドの保持凹部へ移行させる動作が不可欠である。このような方式では、仮止室と保持凹部との相対位置が精度良く設定されていないために、部品が正確に保持凹部へ入りきらないことが発生する。したがって、供給ロッドの保持凹部には部品が入らないまま供給ロッドが進出して、部品供給が欠如することがある。さらに、仮止室から保持凹部へ部品を移行させるための構造を備える必要があるので、装置構造が複雑になり設備費用も高額になる。【０００５】  また、上述の特許文献２に示す技術は、換言すると、供給ロッドに換えて部品供給管自体をその長手方向に進退させて、目的箇所にナットを到達させる形式である。このような進退形式であると、部品供給管が進出するときに最先のナットは元の位置に残留しようとして部品供給管内を相対的に後方へ滑動し、部品供給管だけが進出しようとする。すなわち、ナットの慣性質量による現象が発生する。したがって、ナットが最先の位置から後退方向に位置ずれを起こし、部品供給管が目的箇所に達したときには、最先のナットが所定の位置に存在しないこととなり、目的箇所へナットを移載することができないという問題がある。【０００６】  このような慣性質量による位置ずれを防止するために、マグネットの設置が開示されているが、ナットの前進中に部品供給管が進出すると、ナットを確実にマグネットで吸引することが不可能となる。とくに、部品供給管の進出速度を上げて供給効率を向上させる場合には、マグネットの吸引力が不足し上記慣性質量による影響が一層強く現れることになる。【０００７】  さらに、長尺な部品供給管をその長手方向に進退させる必要があるので、それに要するスペースを大きく確保しなければならず、そのために狭い箇所での設備配置が行いにくいという問題がある。【０００８】  加えて、通常、このような部品供給管は金属製であるが、それに柔軟性のある合成樹脂製の供給チューブが接続されている。したがって、部品供給管が進退するのに順応させて供給チューブも変形動作をさせなければならない。このような変形動作を行わせるためには、例えば、供給チューブをループ状に配置して部品供給管の進退変位を吸収できるようにする必要がある。【０００９】  上述のような、例えば、ループ形状であると、ナットが内部にひっかかったりして円滑な部品移送に支障を来したり、あるいは供給チューブの配置スペースが大きくなって、狭い箇所での有用性が大幅に低下するという問題がある。【００１０】  本発明は、上記の問題点を解決するために提供されたもので、供給通路と仮止室を一体的に形成して、信頼性の高い部品供給装置を提供することを目的とする。
【問題を解決するための手段】
【００１１】  本発明は、以上に述べた問題点を解決するために提供されたもので、請求項１記載の発明は、部品の供給通路とこの供給通路に連通するとともに部品の出口開放部を有する仮止室とが一体的に形成され、仮止室を供給通路とともに目的箇所へ移動させる進退駆動手段が設けられていることを特徴とする部品供給装置である。
【発明の効果】
【００１２】  上述のように前記供給通路と前記仮止室とが一体化され、これら両者が進退駆動手段によって目的箇所へ進出するものであるから、部品は供給通路から仮止室へ確実に移送され、出口開放部から目的箇所へ供給される。このように、部品は仮止室へ確実に移行し、仮止室そのものが進退駆動手段によって進出するので、部品が仮止室に首尾良く入りきらないとか、仮止室から目的箇所へ正確に供給されないというようなトラブルが発生しない。
【００１３】  また、供給通路が長尺な状態で設置されていても、供給通路の湾曲や傾斜などの配置形態を適宜選定することにより、仮止室が進退動作をしても部品移送に支障のない供給通路の設置ができる。
【００１４】  請求項２記載の発明は、前記進退駆動手段の進退方向は、部品が仮止室に進入する方向に対してほぼ直交している請求項１記載の部品供給装置である。
【００１５】  上述のような直交関係を設定することにより、供給通路が長尺なものとなっても、それを形成する柔軟性のある部品供給管に進退駆動手段の進退に追従した揺動変位を行わせることができる。したがって、部品供給管の配管姿勢に無理な屈曲やループ状の形態を採用する必要がなく、供給通路内における部品の移送が滑らかになり、動作信頼性が向上する。同時に、配管上のスペースを最小化することができる。
【００１６】  また、上述の直交関係により、進退駆動手段が前進するときには、部品はその慣性質量により仮止室の内壁に押し付けられる状態になる。そのため、部品は位置ずれなどを起こすことがなく、前進中であっても仮止室内の所定の箇所で正しく一時係止が維持される。したがって、仮止室が目的箇所に到達したときには、部品と目的箇所との相対位置が正確に定まり、部品供給精度が向上する。このような利点が得られるのは、換言すると、上記直交関係により、進退駆動手段の進出方向にほぼ直交する向きの内壁を仮止室内に形成することができるからである。
【００１７】  請求項３記載の発明は、前記仮止室には部品の進入方向の終端位置に仮止室の内壁の一部を形成するストッパ部材が設けられ、前記出口開放部は前記進退駆動手段の進出方向側に配置されている請求項１または請求項２記載の部品供給装置である。
【００１８】  仮止室に入ってきた部品は前記ストッパ部材によって確実に受け止められる。したがって、部品は仮止室内の所定の箇所に位置決めされ、それと同時に、前記出口開放部との相対位置も正しく設定される。また、進退駆動手段が後退するときに部品が出口開放部から相対的に送出されるのであるが、この部品が送出される方向と供給通路内の部品通過方向とがほぼ直交しているので、２番目の部品が最先の部品の送出に干渉することがなく、円滑な送出が実現する。
【００１９】  請求項４記載の発明は、前記仮止室の底部材に進退駆動手段の進出方向側に開放している通過スリットが設けられている請求項１〜請求項３のいずれかに記載の部品供給装置である。
【００２０】  前記通過スリットが、前記底部材において進退駆動手段の進出方向側に開放しているので、通過スリットを通って部品に係合した係合部材が、進退駆動手段の後退時に相対的に底部材から脱出して、部品を係合部材側に移載することができる。このように前記係合部材と一体になっている部品が、仮止室への部品進入方向とほぼ直交する方向に相対的に送出されるので、部品は確実に目的箇所に供給され、信頼性の高い動作が確保できる。
【００２１】  請求項５記載の発明は、前記供給通路は、仮止室が低くなるように傾斜している請求項１〜請求項４のいずれかに記載の部品供給装置である。
【００２２】  このような向きに傾斜している供給通路が進退駆動手段の往復動作で揺すられるので、部品は供給通路内でその幅方向に揺すられることになる。したがって、部品が供給通路内の何等かの凹凸にひっかかっても、そこがら脱出することができ、前記傾斜にそった部品の円滑な送給が実現する。
【００２３】  請求項６記載の発明は、前記供給通路は、進退駆動手段の後退方向側に湾曲している請求項１〜請求項４のいずれかに記載の部品供給装置である。
【００２４】  このような湾曲を付与することにより、進退駆動手段が後退するときに湾曲の外周側の供給通路内面に後続の部品が接触するので、この部品が仮止室の方へ移動しやすくなる。また、このような湾曲と前述のような仮止室側が低くなる傾斜とを併用することにより、進退駆動手段の後退時に、一層部品の移動が促進される。
【００２５】  請求項７記載の発明は、前記進退駆動手段にブロック部材が結合され、このブロック部材に供給通路を形成する部品供給管が取り付けられ、この部品供給管に連通させて仮止室が配置されている請求項１〜請求項６のいずれかに記載の部品供給装置である。
【００２６】  供給通路を形成する部品供給管や仮止室が、基礎的な部材であるブロック部材に取り付けられるので、供給通路や仮止室を簡単な構造で正確に配置することができる。そして、エアシリンダのような進退駆動手段をブロック部材に結合することにより、進退動作を確実に供給通路や仮止室に付与することができる。
【発明を実施するための最良の形態】
【００２７】  次に、本発明の部品供給装置を実施するための最良の形態を説明する。
【実施例１】
【００２８】  図１〜図４は、第１の実施例を示す。【００２９】  この実施例で扱われる部品は、図１および図２に示すような鉄製のプロジェクションナット１である。プロジェクションナット１は、平面形状が四角くてその中央部にねじ孔２が設けられ、裏側３の四隅に溶着用突起４が設けてある。符号５は、表側である。なお、以下の記載においてプロジェクションナットを、単にナットと表現することもある。【００３０】  進退駆動手段６としては、エアシリンダや進退出力をする電動モータなど種々なものが採用できるが、この実施例ではエアシリンダ７である。このエアシリンダ７はタンデム型であり、２本のピストンロッド８が進退自在に突出している。エアシリンダ７は装置の機枠のような静止部材９に固定されている。そして、ピストンロッド８は水平面に沿って進退するように、エアシリンダ７の取り付けがなされている。【００３１】  前記ピストンロッド８に、直方体の形状とされたブロック部材１０が結合してある。このブロック部材１０の前面１１に部品供給管１２が結合してあり、その内部が断面矩形の供給通路１３になっている。部品供給管１２は、底部材である底板１４，上板１５，両横の横側板１６，１７によって形成されている。【００３２】  部品供給管１２の先端部に、供給通路１３に連通し供給通路１３と一体的な状態で形成された仮止室１８が配置されている。仮止室１８は部品供給管１２の先端部に形成され、その終端位置にストッパ部材１９がブロック部材１０の前面１１に固定された状態で配置されている。前記ストッパ部材１９のストッパ面２０は仮止室１８の内面の一部を形成している。ストッパ部材１９で受け止められたナット１は、ストッパ部材１９内に埋設した永久磁石２５によって吸引されて位置決めがなされている。【００３３】  ピストンロッド８すなわちブロック部材１０の進退方向は、ナット１が供給通路１３から仮止室１８に進入する方向に対してほぼ直交している。このために、前記前面１１がピストンロッド８の進退軸線に対して垂直の関係となるように配置してある。このような向きの前面１１に部品供給管１２が溶接などで結合されているので、供給通路１３の方向を所定の向きに設定することが行いやすくなる。つまり、前面１１が一種の基準面になっている。【００３４】  前記仮止室１８が形成されている部品供給管１２の箇所は、その上板１５の一部に切欠き部２１が形成されて、仮止室１８内におけるナット１の有無が視認できるようになっている。また、図３に示すように、横側板１７の先端部分にナット１の出口開放部２２が設けてある。これは横側板１７に四角い開口部を設けて構成してあり、仮止室１８のピストンロッド８の進出方向側に配置してある。さらに、他方の横側板１６の先端近傍はブロック部材１０の前面１１に密着している。この部分の横側板１６の内面が仮止室１８の内壁２３とされている。この内壁２３は、ピストンロッド８の進退方向に対して垂直な関係となっている。なお、横側板１６を短くして内壁２３をブロック部材１０の前面１１で構成してもよい。【００３５】  仮止室１８の部分における部品供給管１２の底板１４に、ピストンロッド８の進出方向側に開放している通過スリット２４が設け��ある。後述の係合部材が、この通過スリット２４を通ってねじ孔２内に進入する。この通過スリット２４の長手方向はエアシリンダ７の進退方向と同じである。【００３６】  この実施例においては、ナット１は、固定電極２６の上面に載置された鋼板部品２７上に供給される。固定電極２６は静止部材９に固定されており、その中心部から係合部材であるガイドピン２８が進出して、鋼板部品２７にあけた下孔２９と通過スリット２４を貫通して、ねじ孔２内に進入するようになっている。したがって、ガイドピン２８と下孔２９と通過スリット２４とねじ孔２は同軸上に位置するようになっている。なお、符号３０は、ガイドピン２８を進退させるために固定電極２６の中心部に設けた通孔である。【００３７】  前記ガイドピン２８を進退させるために、エアシリンダ３１が固定電極２６の下側に取り付けてある。そして、固定電極２６と同軸の状態で可動電極３２が配置されている。【００３８】  図２に示すように、部品供給管１２すなわち供給通路１３は仮止室１８側が低くなるように傾斜している。そして、ブロック部材１０の左端近くから後方すなわちピストンロッド８の後退方向側に湾曲している。この湾曲部は符号３４で示されている。部品供給管１２はステンレス鋼のような材料で作られた金属製である。この金属製の部品供給管１２に柔軟性のある合成樹脂でできた供給ホース３５が接続され、その端部はパーツフィーダ３６に接続されている。パーツフィーダ３６には空気搬送のための圧縮空気噴射管３８が取り付けられ、圧縮空気が供給ホース３５内に噴射されるようになっている。【００３９】  図３に示すように、部品供給管１２には前記傾斜と湾曲とが付与されている。このような形状であるから供給通路１３をパーツフィーダ３６に連通させるためには、部品供給管１２を徐々にねじりながら供給ホース３５に移行するようにしている。このようなねじり部は符号３７で示されている。【００４０】  上述の実施例の動作を説明する。【００４１】  パーツフィーダ３６から送出されてきたプロジェクションナット１は、圧縮空気噴射管３８からの噴射空気で供給通路１３内を移送されてくる。ナット１が湾曲部３４にさしかかると供給通路１３は下り傾斜をしているので、勢いよく仮止室１８内に進入する。この進入の過渡期に永久磁石２５の吸引力によってナット１が確実に仮止室１８内に導入される。【００４２】  仮止室１８に入ってきたナット１はストッパ部材１９によって確実に受け止められる。ストッパ部材１９はブロック部材１０に溶接などで固定されているので、剛性の高い部材としてストッパ機能を果たすことができる。つまり、ピストンロッド８の進退方向とナット１の進入方向とが直交しているので、ブロック部材１０に供給通路１３を沿わせて配置して、その先端部に仮止室１８やストッパ部材１９の配置が可能となるという効果がある。【００４３】  このナット１の進入方向はピストンロッド８の進退方向に対してほぼ直交している。さらに、後続のナット１が送り出されると、仮止室１８内のナット１に連続して２番目のナット１として整列する。同様にして３番目，４番目と順次ナット列が形成される。【００４４】  ここでエアシリンダ７が動作してピストン��ッド８が進出し、図２に示すように、ナット１のねじ孔２と固定電極２６のガイドピン２８とが同軸になった位置でピストンロッド８の進出が停止する。その後、エアシリンダ３１によってガイドピン２８が上昇してねじ孔２内に進入する。この進入状態のままピストンロッド８が仮止室１８とともに後退すると、ガイドピン２８はナット１を係止したまま通過スリット２４から相対的に抜けだす。【００４５】  このような動作をへてナット１が下孔２９と同軸の状態で鋼板部品２７上に載置される。その後、可動電極３２が進出してナット１の溶着用突起４が鋼板部品２７に押し付けられ、溶接電流が通電されて溶着用突起４が鋼板部品２７に溶着する。【００４６】  上述の動作において、仮止室１８が前進するときには、ナット１が内壁２３に押し付けられるので、ナット１の位置決めにとって効果的である。また、ナット１は、仮止室１８への進入方向に直交する向きに仮止室１８から相対的に出て行くので、このときにはストッパ部材１９のストッパ面２０をこすりながら出て行く。したがって、ナット１が出て行く過渡期にはストッパ面２０で案内されるので、ナット１の向きが安定し円滑なナット送出が得られるという効果がある。【００４７】  さらに、ピストンロッド８の進退時には、図１に示す仮想的な揺動点３９をほぼ中心にして、部品供給管１２ないしは供給ホース３５がほぼ水平方向に揺動するので、供給通路１３全域において無理な屈曲などが発生しない。したがって、部品供給管１２や供給ホース３５の配管が行いやすくなり、しかも小さなスペースで済み、装置の配置面で有利なものとなる。【００４８】  部品供給管１２とストッパ部材１９をブロック部材１０の前面１１に結合するものであるから、前面１１が取り付け基準面のような状態になり、構造物としての精度が向上するとともに、構造が簡素化される。【００４９】  以上に説明した実施例の作用効果を列記すると、つぎのとおりである。【００５０】  上述のように前記供給通路１３と前記仮止室１８とが一体化され、これら両者が進退駆動手段であるエアシリンダ７によって固定電極２６の方へ進出するものであるから、プロジェクションナット１は供給通路１３から仮止室１８へ確実に移送され、出口開放部２２から電極のガイドピン２８へ供給される。このように、ナット１は仮止室１８へ確実に移行し、仮止室１８そのものがエアシリンダ７によって進出するので、ナット１が仮止室１８に首尾良く入りきらないとか、仮止室１８からガイドピン２８へ正確に供給されないというようなトラブルが発生しない。【００５１】  また、供給通路１３が長尺な状態で設置されていても、供給通路１３の湾曲や傾斜などの配置形態を適宜選定することにより、仮止室１８が進退動作をしてもナット移送に支障のない供給通路１３の設置ができる。【００５２】  前記エアシリンダ７の進退方向は、ナット１が仮止室１８に進入する方向に対してほぼ直交している。【００５３】  上述のような直交関係を設定することにより、供給通路１３が長尺なものとなっても、それを形成する柔軟性のある供給ホース３５にエアシリンダ７の進退に追従した揺動変位を行わせることができる。したがって、供給ホース３５の配管姿勢に無理な屈��やループ状の形態を採用する必要がなく、供給通路１３内におけるナット１の移送が滑らかになり、動作信頼性が向上する。同時に、配管上のスペースを最小化することができる。【００５４】  また、上述の直交関係により、エアシリンダ７のピストンロッド８が前進するときには、ナット１はその慣性質量により仮止室１８の内壁２３に押し付けられる状態になる。そのため、ナット１は位置ずれなどを起こすことがなく、前進中であっても仮止室１８内の所定の箇所で正しく一時係止が維持される。したがって、仮止室１８がガイドピン２８に到達したときには、ナット１とガイドピン２８との相対位置が正確に定まり、部品供給精度が向上する。このような利点が得られるのは、換言すると、上記直交関係により、エアシリンダ７の進出方向にほぼ直交する向きの内壁２３を仮止室１８内に形成することができるからである。【００５５】  前記仮止室１８にはナット１の進入方向の終端位置に仮止室１８の内壁の一部を形成するストッパ部材１９が設けられ、前記出口開放部２２はエアシリンダ７の進出方向側に配置されている。【００５６】  仮止室１８に入ってきたナット１は前記ストッパ部材１９のストッパ面２０によって確実に受け止められる。したがって、ナット１は仮止室１８内の所定の箇所に位置決めされ、それと同時に、前記出口開放部２２との相対位置も正しく設定される。また、エアシリンダ７が後退するときにナット１が出口開放部２２から相対的に送出されるのであるが、このナット１が送出される方向と供給通路１３内の部品通過方向とがほぼ直交しているので、２番目のナット１が最先のナット１の送出に干渉することがなく、円滑な送出が実現する。【００５７】  前記仮止室１８の底部材である底板１４にエアシリンダ７の進出方向側に開放している通過スリット２４が設けられている。【００５８】  前記通過スリット２４が、前記底板１４においてエアシリンダ７の進出方向側に開放しているので、通過スリット２４を通ってナット１に係合したガイドピン２８（係合部材）が、エアシリンダ７の後退時に相対的に底板１４から脱出して、ナット１をガイドピン２８側に移載することができる。このようにガイドピン２８と一体になっているナット１が、仮止室１８へのナット進入方向とほぼ直交する方向に相対的に送出されるので、ナット１は確実にガイドピン２８に供給され、信頼性の高い動作が確保できる。【００５９】  前記供給通路１３は、仮止室１８が低くなるように傾斜している。【００６０】  このような向きに傾斜している供給通路１３がエアシリンダ７の往復動作で揺すられるので、ナット１は供給通路１３内でその幅方向に揺すられることになる。したがって、ナット１が供給通路１３内の何等かの凹凸にひっかかっても、そこから脱出することができ、前記傾斜にそったナット１の円滑な送給が実現する。【００６１】  前記供給通路１３は、エアシリンダ７の後退方向側に湾曲している。【００６２】  このような湾曲を付与することにより、エアシリンダ７が後退するときに湾曲の外周側の供給通路１３の内面に後続のナット１が接触するので、このナット１が仮止室１８の方へ移動しやすくなる。また、このような湾曲と前述のような仮止室１８側が低く��る傾斜とを併用することにより、エアシリンダ７の後退時に、一層ナットの移動が促進される。【００６３】  供給通路１３の湾曲外周側の内面にナット１が接触する点を、図４にしたがって説明する。なお、図４は湾曲部３４付近の簡略的な平断面図である。図１や図３のような湾曲状態とされた供給通路１３であると、図４（Ａ）に示すようなエアシリンダ７の復帰動作のときには、ナット１が湾曲外周側の内面４０に接触するので、ナット１は仮止室１８側に移送される力を受け、これによって仮止室１８へのナット移送が促進される。【００６４】  また、図４（Ａ）のような状態においては、エアシリンダ７の復帰方向の力がナット１に作用したら、その分力がナット１を仮止室１８の方へ移送する力に加算され、より強い移送力が確保できる。さらに、このような現象において、仮止室１８側が低くなるように供給通路１３が傾斜していると、ナット１はより一層強く送出される。【００６５】  図４（Ｂ）に示すように、エアシリンダ７が進出して仮止室１８内のナット１をガイドピン２８に供給するときには、後続のナット１が湾曲内周側の内面４１に接触するので、ナット１は仮止室１８へ向かう方向とは逆方向の力を受ける。これにより、整列しているナットの最先のナットが仮止室１８内のナット１を押圧しているのであるが、上述の逆方向の力により前記押圧力が緩和されて、仮止室１８内のナット１が出やすくなる。【００６６】  前記エアシリンダ７にブロック部材１０が結合され、このブロック部材１０に供給通路１３を形成する部品供給管１２が取り付けられ、この部品供給管１２に連通させて仮止室１８が配置されている。【００６７】  供給通路１３を形成する部品供給管１２や仮止室１８が、基礎的な部材であるブロック部材１０に取り付けられるので、供給通路１３や仮止室１８を簡単な構造で正確に配置することができる。そして、エアシリンダ７のような進退駆動手段をブロック部材１０に結合することにより、進退動作を確実に供給通路１３や仮止室１８に付与することができる。
【実施例２】
【００６８】  図５は、第２の実施例を示す。【００６９】  この実施例は、ほぼ鉛直方向に昇降するエアシリンダ４３によって、ほぼ水平方向の進退出力をするエアシリンダ７を昇降させるようにしたものである。このエアシリンダ４３のピストンロッド４４がエアシリンダ７の下側に結合されている。このような構造のため、図示していないが、前記ガイドピン２８は鋼板部品２７から突出したままで静止している。それ以外の構成は先の実施例と同じなので、同様な機能の部材には同一の符号が記載してある。【００７０】  上記構成により、ナット１を保持した仮止室１８がガイドピン２８と同軸の位置で停止すると、エアシリンダ４３が下降動作をして、ガイドピン２８がナット１のねじ孔２内に相対的に進入する。その後、エアシリンダ７によって仮止室１８が後退して、ナット１がガイドピン２８に係止される。したがって、前述の実施例のようなガイドピン２８を進退させるエアシリンダ３１が不要となり、固定電極２６の構造を簡素化できる。つまり、エアシリンダ７と４３の進退動作が合成されることにより、スクエアーモーション４５が形成される。それ以外の作用効果は、先の実施例と同じである。
【産業上の利用可能性】
【００７１】  上述のように、本発明によれば、供給通路と仮止室とが一体的に形成され、さらに、仮止室への部品の進入方向に対してほぼ直交する方向に仮止室を進退させることができるので、仮止室への部品進入を確実に果たすことができ、供給通路内での部品移動を円滑にすることができる。このような利点により、多角的な分野での利用が期待できる。
【図面の簡単な説明】
【００７２】
【図１】装置全体の平面図である。
【図２】供給通路と仮止室の部分を示す縦断正面図である。
【図３】装置全体の平面図と正面図である。
【図４】部品供給管の屈曲部の一部を示す断面図である。
【図５】他の実施例を示す簡略的な側面図である。
【符号の説明】
【００７３】  １    プロジェクションナット
２    ねじ孔
６    進退駆動手段
７    エアシリンダ
１０    ブロック部材
１１    前面
１２    部品供給管
１３    供給通路
１８    仮止室
１９    ストッパ部材
２２    出口開放部
２３    内壁
２４    通過スリット
２６    固定電極
２７    鋼板部品
２８    ガイドピン
３２    可動電極
３４    湾曲部
４０    内面
４１    内面
【図１】
2007105865.tif 000003
【図２】
2007105865.tif 000004
【図３】
2007105865.tif 000005
【図４】
2007105865.tif 000006
【図５】
2007105865.tif 000007